(57)【要約】【課題】車種判別エリアを車両が斜めに進入するような場合であっても、車両の車輪判別を正確かつ迅速に行い、車種の判別精度を高める。【解決手段】車輪検知センサのＯＮ、ＯＦＦ、ＯＮ、ＯＦＦの順序の検知信号が、２セット検知され（１セット目はステップ（２０）及び（３０）、２セット目はステップ（５０）及び（７０）である。）、なおかつ、各セットにおいて、先のＯＮ信号の検知開始時間と、後のＯＮ信号の検知開始時間との時間差を、先のＯＮ信号の検知時間長で除した値が、基準値未満であり（ステップ（４０）及び（８０））、更に、１セット目の検知で得られる、車輪検知センサを先に通過する車輪の検知時間長と、２セット目の検知で得られる、車輪検知センサを先に通過する車輪の検知時間長との比が、所定範囲内にあるとき（ステップ（６０））に限り、車輪配置ＯＫ（ステップ（１００））と判定する。【選択図】図４
2008008099.tif 000002
【特許請求の範囲】
【請求項１】
機械式駐車装置の検知エリアを通過する車両の、車輪を検知する方法であって、
地表面近傍に、透過光が車幅方向へと照射されるようにして、透過型光電センサからなる車輪検知センサを配置し、
該車輪検知センサにより得られる車輪検知信号のうち、前記車輪検知センサを先に通過する車輪の検知開始時間とその直後に通過する車輪の検知開始時間との時間差を、先に通過する車輪の検知時間長で除した値が、基準値未満であるとき、前記車輪検知センサを先に通過する車輪とその直後に通過する車輪とが同一車軸上にあると判断することを特徴とする機械式駐車装置における車両の車輪判別方法。
【請求項２】
前記検知エリアに車体長さの検知手段を設け、車体長さの検知中に、前記車輪検知センサにより得られる、車輪検知センサを先に通過する車輪の検知信号及びその直後に通過する車輪の検知信号が２セット得られ、なおかつ、１セット目の検知で得られる、前記車輪検知センサを先に通過する車輪の検知時間長と、２セット目の検知で得られる、前記車輪検知センサを先に通過する車輪の検知時間長との比が、所定範囲内にあるとき、前記検知エリアを通過する車両の、前後輪の大きさが同一であると判断することを特徴とする請求項１記載の機械式駐車装置における車両の車輪判別方法。
【請求項３】
前後輪の大きさが同一であると判断される場合を除き、前記検知エリアを通過する車両は、入庫に不適切な車輪配置であると判断することを特徴とする請求項２記載の機械式駐車装置における車両の車輪判別方法。
【請求項４】
前記２セットの車輪検知信号の何れからも、前記車輪検知センサを先に通過する車輪とその直後に通過する車輪とが同一車軸上にあると判断される場合を除き、前記検知エリアを通過する車両は、入庫に不適切な車輪配置であると判断することを特徴とする請求項２又は３記載の機械式駐車装置における車両の車輪判別方法。
【請求項５】
機械式駐車装置の検知エリアを通過する車両の、車輪を検知する装置であって、
地表面近傍に、透過光が車幅方向へと照射されるようにして、透過型光電センサからなる車輪検知センサが配置され、かつ、
該車輪検知センサにより得られる車輪検知信号のうち、前記車輪検知センサを先に通過する車輪の検知開始時間とその直後に通過する車輪の検知開始時間との時間差を、先に通過する車輪の検知時間長で除した値が、基準値未満であるとき、前記車輪検知センサを先に通過する車輪とその直後に通過する車輪とが同一車軸上にあると判断する処理ロジックが含まれる判別手段を備えることを特徴とする機械式駐車装置における車両の車輪判別装置。
【請求項６】
前記検知エリアに車体長さの検知手段が設けられており、前記判別手段には、車体長さの検知中に、車輪検知センサを先に通過する車輪の検知信号及びその直後に通過する車輪の検知信号が２セット得られ、なおかつ、１セット目の検知で得られる、前記車輪検知センサを先に通過する車輪の検知時間長と、２セット目の検知で得られる、前記車輪検知センサを先に通過する車輪の検知時間長との比が、所定範囲内にあるとき、前記検知エリアを通過する車両の、前後輪の大きさが同一であると判断する制御ロジックが含まれることを特徴とする請求項５記載の機械式駐車装置における車両の車輪判別装置
【請求項７】
前記判別手段には、前後輪の大きさが同一であると判断される場合を除き、前記検知エリアを通過する車両は、入庫に不適切な車輪配置であると判断する制御ロジックが含まれることを特徴とする請求項６記載の機械式駐車装置における車両の車輪判別装置。
【請求項８】
前記判別手段には、前記２セットの車輪検知信号の何れからも、前記車輪検知センサを先に通過する車輪とその直後に通過する車輪とが同一車軸上にあると判断される場合を除き、前記検知エリアを通過する車両は、入庫に不適切な車輪配置であると判断する制御ロジックが含まれることを特徴とする請求項６又は７記載の機械式駐車装置における車両の車輪判別装置。
【発明の詳細な説明】
【技術分野】
【０００１】
本発明は、機械式駐車装置における車両の車輪判別方法及び判別装置に関するものである。
【背景技術】
【０００２】
近年、収容効率に優れた機械式駐車装置が、公共施設、商業施設、集合住宅等に広く設置されている。また、特に多くの収容台数を有する駐車装置においては、駐車室毎に、入庫可能な車両の形態（セダン等の一般的乗用車、または、ワンボックス車、ＲＶ車等のワイドかつハイルーフ車等）を限定する、いわゆる入庫区分を設定し、車両形態毎に広さの異なる駐車室を割り当てている。例えば、セダン等の乗用車と、ワンボックス車、ＲＶ車等のハイフーフ車とで入庫区分を分けると共に、何れにも当てはまらない大型車や改造車に対しては、いわゆる平置きの駐車スペースを割り当てている。
【０００３】
このような入庫区分を設定した機械式駐車装置の場合には、車両入場口で、車両の形態を判別する必要がある。この判別作業において、従来は、車種、形状等から駐車場係員が判断して、適合するユニット若しくは駐車室を選択し、車両の進路を誘導指示していた。
しかしながら、従来のように駐車場係員に車両の判別を任せる手法は、機械式駐車装置を運転する際の無人化（少人数化）を促進する際の妨げとなり、かつ、係員の判断ミスを誘発するおそれもあった。また、キャリヤ等の付属物を装着した車両については、駐車室の選択が難しい等、機械式駐車装置の運用効率を悪化させることとなった。かかる問題を解決すべく、本出願人は、車種判別エリアを通過する車両の車種を、正確かつ迅速に判別することが可能な、車種判別装置を開発している（例えば、特許文献１参照。）。
【０００４】
【特許文献１】特許第３１１６２１３号公報
【発明の開示】
【発明が解決しようとする課題】
【０００５】
さて、上記車種判別装置は、車輪の位置を特定し、かかる車輪を基準として車体各部の寸法測定を行っている。しかしながら、従来の車種判別装置は、車両が車種判別エリアに進入した車両の左右両輪が完全に揃った状態で進入することを前提として車輪の位置を検出するものであり、実情に即していなかった。すなわち、通常は、車種判別エリアに対して車両が斜めに進入し、若しくは、前輪に舵角が与えられている場合がほとんどであり、従来の車種判別装置は、車種判別エリアに進入した車両の、左右前輪の位置を前後輪の位置として誤認する等、測定基準となる車輪の位置が正確に特定されず、誤った車種判別がなされる虞があった。
本発明は上記課題に鑑みてなされたものであり、その目的とするところは、車種判別エリアを車両が斜めに進入するような場合であっても、機械式駐車装置における車両の車輪判別を正確かつ迅速に行い、車種の判別精度を高めることにある。
【課題を解決するための手段】
【０００６】
上記課題を解決するための、本発明に係る機械式駐車装置における車両の車輪判別方法は、機械式駐車装置の検知エリアを通過する車両の、車輪を検知する方法であって、地表面近傍に、透過光が車幅方向へと照射されるようにして、透過型光電センサからなる車輪検知センサを配置し、該車輪検知センサにより得られる車輪検知信号のうち、前記車輪検知センサを先に通過する車輪の検知開始時間とその直後に通過する車輪の検知開始時間との時間差を、先に通過する車輪の検知時間長で除した値が、基準値未満であるとき、前記車輪検知センサを先に通過する車輪とその直後に通過する車輪とが同一車軸上にあると判断することを特徴とするものである。
【０００７】
本発明によれば、地表面近傍に、透過光が車幅方向へと照射されるようにして、透過型光電センサからなる車輪検知センサを配置することで、車輪全体のうち、車輪が実際に接地する範囲に近い部分のみを、確実に検知する。
そして、車輪検知センサにより得られる車輪検知信号のうち、車輪検知センサを先に通過する車輪の検知開始時間とその直後に通過する車輪の検知開始時間との時間差を、先に通過する車輪の検知時間長で除した値が、基準値未満であるとき、車輪検知センサを先に通過する車輪とその直後に通過する車輪とが同一車軸上にあると判断することで、検知エリアに対し車両が斜めに通過する場合であっても、同一車軸上の左右の車輪の位置を正確に把握することができる。
【０００８】
又、本発明において、前記検知エリアに車体長さの検知手段を設け、車体長さの検知中に、前記車輪検知センサにより得られる、車輪検知センサを先に通過する車輪の検知信号及びその直後に通過する車輪の検知信号が２セット得られ、なおかつ、１セット目の検知で得られる、前記車輪検知センサを先に通過する車輪の検知時間長と、２セット目の検知で得られる、前記車輪検知センサを先に通過する車輪の検知時間長との比が、所定範囲内にあるとき、前記検知エリアを通過する車両の、前後輪の大きさが同一であると判断することが望ましい。
【０００９】
本発明によれば、１セット目の検知で得られる、前記車輪検知センサを先に通過する車輪の検知時間長、すなわち、前輪の左右一方の車輪の大きさを基準として、２セット目の検知で得られる、車輪検知センサを先に通過する車輪の検知時間長、すなわち、後輪の大きさを量ることで、検知エリアに対し車両が斜めに通過する場合であっても、前後輪の大きさの違いを正確に把握することができる。
【００１０】
又、本発明において、前後輪の大きさが同一であると判断される場合を除き、前記検知エリアを通過する車両は、入庫に不適切な車輪配置であると判断することが望ましい。
本発明によれば、検知エリアに対し車両が斜めに通過する場合であっても、機械式駐車装置への駐車が不可能な、前後輪の大きさが異なる車両を把握して、機械式駐車装置への誤進入を確実に防ぐことが可能となる。
【００１１】
又、本発明において、前記２セットの車輪検知信号の何れからも、前記車輪検知センサを先に通過する車輪とその直後に通過する車輪とが同一車軸上にあると判断される場合を除き、前記検知エリアを通過する車両は、入庫に不適切な車輪配置であると判断することが望ましい。
本発明によれば、検知エリアに対し車両が斜めに通過する場合において、前記車輪検知センサを先に通過する車輪とその直後に通過する車輪とが同一車軸上にあると判断されない場合は、前後車軸の、左右の車輪の位置を正確に把握することができないことから、入庫に不適切な車輪配置であると判断し、車体の各部寸法の把握が不確実となる車両の、機械式駐車装置への誤進入を確実に防ぐことが可能となる。
【００１２】
又、上記課題を解決するための、本発明に係る機械式駐車装置における車両の車輪判別装置は、機械式駐車装置の検知エリアを通過する車両の、車輪を検知する装置であって、地表面近傍に、透過光が車幅方向へと照射されるようにして、透過型光電センサからなる車輪検知センサが配置され、かつ、該車輪検知センサにより得られる車輪検知信号のうち、前記車輪検知センサを先に通過する車輪の検知開始時間とその直後に通過する車輪の検知開始時間との時間差を、先に通過する車輪の検知時間長で除した値が、基準値未満であるとき、前記車輪検知センサを先に通過する車輪とその直後に通過する車輪とが同一車軸上にあると判断する処理ロジックが含まれる判別手段を備えることを特徴とするものである。
【００１３】
本発明によれば、地表面近傍に、透過光が車幅方向へと照射されるようにして、透過型光電センサからなる車輪検知センサが配置されることで、車輪全体のうち、車輪が実際に接地する範囲に近い部分のみを、確実に検知することができる。
そして、判別手段では、車輪検知センサにより得られる車輪検知信号のうち、車輪検知センサを先に通過する車輪の検知開始時間とその直後に通過する車輪の検知開始時間との時間差を、先に通過する車輪の検知時間長で除した値が、基準値未満であるとき、車輪検知センサを先に通過する車輪とその直後に通過する車輪とが同一車軸上にあると判断することで、検知エリアに対し車両が斜めに通過する場合であっても、同一車軸上の左右の車輪の位置を正確に把握することができる。
【００１４】
又、本発明において、前記検知エリアに車体長さの検知手段が設けられており、前記判別手段には、車体長さの検知中に、車輪検知センサを先に通過する車輪の検知信号及びその直後に通過する車輪の検知信号が２セット得られ、なおかつ、１セット目の検知で得られる、前記車輪検知センサを先に通過する車輪の検知時間長と、２セット目の検知で得られる、前記車輪検知センサを先に通過する車輪の検知時間長との比が、所定範囲内にあるとき、前記検知エリアを通過する車両の、前後輪の大きさが同一であると判断する制御ロジックが含まれることが望ましい。
【００１５】
本発明によれば、判別手段において、１セット目の検知で得られる、前記車輪検知センサを先に通過する車輪の検知時間長、すなわち、前輪の左右一方の車輪の大きさを基準として、２セット目の検知で得られる、車輪検知センサを先に通過する車輪の検知時間長、すなわち、後輪の大きさを量ることで、検知エリアに対し車両が斜めに通過する場合であっても、前後輪の大きさの違いを正確に把握することができる。
【００１６】
又、本発明において、前記判別手段には、前後輪の大きさが同一であると判断される場合を除き、前記検知エリアを通過する車両は、入庫に不適切な車輪配置であると判断する制御ロジックが含まれることが望ましい。
本発明によれば、検知エリアに対し車両が斜めに通過する場合であっても、判別手段において、機械式駐車装置への駐車が不可能な、前後輪の大きさが異なる車両を把握して、機械式駐車装置への誤進入を確実に防ぐことが可能となる。
【００１７】
又、本発明において、前記判別手段には、前記２セットの車輪検知信号の何れからも、前記車輪検知センサを先に通過する車輪とその直後に通過する車輪とが同一車軸上にあると判断される場合を除き、前記検知エリアを通過する車両は、入庫に不適切な車輪配置であると判断する制御ロジックが含まれることが望ましい。
本発明によれば、検知エリアに対し車両が斜めに通過する場合において、車輪検知センサを先に通過する車輪とその直後に通過する車輪とが同一車軸上にあると判断されない場合は、前後車軸の、左右の車輪の位置を正確に把握することができないことから、判別手段において、入庫に不適切な車輪配置であると判断し、車体の各部寸法の把握が不確実となる車両の、機械式駐車装置への誤進入を確実に防ぐことが可能となる。
【発明の効果】
【００１８】
本発明はこのように構成したので、車種判別エリアを車両が斜めに進入するような場合であっても、機械式駐車装置における車両の車輪判別を正確かつ迅速に行い、車種の判別精度を高めることが可能となる。
【発明を実施するための最良の形態】
【００１９】
以下、本発明を実施するための最良の形態を添付図面に基づいて説明する。
図１及び図２に示される、機械式駐車装置の車種検知エリア１０には、本発明の実施の形態に係る車体底部の突起物の検知装置が設けられている。この車種検知エリア１０は、車両１２が自走によって矢印Ｆ方向に進入するものである。そして、車種検知エリア１０の入り口寄りの場所には、最低地上高検知装置１４、車高検知装置１６、車両後端検知装置１８、車幅検知装置２０が設けられている。更に、車種検知エリア１０の出口に向かって、入庫ボタンボックス２２、車両前端検知装置２４、行先案内灯２６、カーゲート２８が設けられている。なお、車両後端検知装置１８及び車両前端検知装置２４は、車体長さの検知手段を構成するものである。上記各検知装置のうち、最低地上高検知装置１４、車高検知装置１６、車両後端検知装置１８、車両前端検知装置２４には、透過型光電センサが用いられており、車幅検知装置２０には、超音波センサが用いられている。なお、上記構成は、従来技術（特許文献１）も同様である。
そして、最低地上高検知装置１４及び判別手段３０により、本発明の実施の形態に係る、車両の車輪判別装置３２が構成されている。判別手段３０は、電子計算機により構成され、図示の例では独立したブロックとして模式的に示されているが、車種判別装置の一部として組み込まれていても良く、又、機械式駐車装置の制御システムに含まれるものであっても良い。
【００２０】
さて、本発明の実施の形態に係る、車両の車輪判別装置３２の、最低地上高検知装置１４は、図３に示されるように、地表面ＧＬの近傍に配置された車輪検知センサ３４と、車輪検知センサ３４より高位置に配置された突起物検知センサ３６との二つのセンサを備えている。車輪検知センサ３４及び突起物検知センサ３６は、何れも透過型光電センサである。車輪検知センサ３４は、地表面ＧＬと車両の最低地上高との間で、可能な限り地表面ＧＬに近い位置に設けることで、車輪３８（図２）全体のうち、車輪が実際に接地する範囲に近い部分（図５の（Ａ）に、符号３８１ａ、３８２ａ、３８３ａ、３８４ａで示す。）のみを、確実に検知することができる。一方、突起物検知センサ３６は、車輪検知センサ３４より高位置で、車輪３８以外の、車体底部の突起物の検知が可能となっている。参考までに、突起物検知センサ３６は、車輪検知センサ３４の車両進行方向（矢印Ｆ）前方、かつ、両方のセンサのセンサ中心Ｃ３４、Ｃ３６が、想定される最小半径の車輪（例えば、軽自動車の車輪）を両方のセンサ３４、３６が同時に検知開始可能な範囲内で離間するように配置されている。図示の例では、車輪検知センサ３４の地表面からの高さは４０ｍｍ、突起物検知センサ３６の地表面からの高さは７０ｍｍ、両方のセンサのセンサ中心Ｃ３４、Ｃ３６の前後方向の距離は、１３０ｍｍとなっている。
【００２１】
続いて、本発明の実施の形態に係る、車両の車輪判別方法を、図４〜図６を参照しながら説明する。ここで、図４は、具体的な車両の車輪判別手順を示している。又、図５、図６は、図４に関連して、車種検知エリア１０を車両１２が斜めに通過する場合において、車輪検知センサ３４と車両１２との相対的な位置関係が変化する様子を、平面視したものである。
【００２２】
なお、図４のフローチャート中の各判定ステップ（４０）、（６０）、（８０）、（９０）において、符合で示された各判定基準は、以下の通りである。
〔Ｉ−α〕：｛（車輪３８２の検知開始時刻）−（車輪３８１の検知開始時刻）｝／（車輪３８１の検知時間長）＜１．０
車輪検知センサ３４を先に通過する車輪３８１の検知信号及びその直後に通過する車輪３８２の検知信号から、二つの車輪３８１、３８２が同一車軸上にあると判定するための条件である。二つの車輪３８１、３８２が同一車軸上にあれば、車種検知エリア１０を車両１２が斜めに通過する場合であっても、二つの車輪３８１、３８２は互いに近い位置にあり、両車輪の検知開始時刻の時間差も小さくなることに着目したものである。
〔Ｉ−β〕：｛（車輪３８４の検知開始時刻）−（車輪３８３の検知開始時刻）｝／（車輪３８３の検知時間長）＜１．０
車輪検知センサ３４を先に通過する車輪３８３の検知信号及びその直後に通過する車輪３８４の検知信号から、二つの車輪３８３、３８４が同一車軸上にあると判定するための条件である。二つの車輪３８３、３８４が同一車軸上にあれば、車種検知エリア１０を車両１２が斜めに通過する場合であっても、二つの車輪３８３、３８４は互いに近い位置にあり、両車輪の検知開始時刻の時間差も小さくなることに着目したものである。
〔II−γ〕：０．６＜｛（車輪３８３の検知時間長）／（車輪３８１の検知時間長）｝＜３．０
前後の車輪の大きさが同じであると判定するための条件である。この値が０．６以下である場合には、後に検知された部分は車輪以外の突起物と判断される。又、この値が３．０以上である場合には、後に検出された車輪が、前輪より大きいか、若しくは車輪以外の突起物であると判断される。
〔III〕：車体長さの検知中に、〔Ｉ−α〕、〔Ｉ−β〕の何れの条件も満たされる。
検知された車輪が一台の車両に設けられていると判定するための条件である。
なお、上記判定条件中の数値は、発明者らが、実験により各判定に適した値を割出したものである。
【００２３】
本発明の実施の形態に係る、車両の車輪判別手順は、以下の通りである。
（１０）車両１２が、車輪検知センサ３４に対し斜めに進入する。
（２０）図５の（Ａ）に示されるように、車両１２の一方の前輪３８１が車輪検知センサ３４の透過光Ｌを遮断し、車輪検知センサ３４の検知信号がＯＮとなる。このとき、車輪検知センサ３４が地表面近傍に配置されていることから、透過光Ｌが車輪３８２に遮られること無く、車輪３８１の全体のうち車輪３８１が実際に接地する範囲に近い部分３８１ａのみを、確実に検知することができる（他の車輪３８２、３８３、３８４についても同様である。）。そして、前輪３８１が車輪検知センサ３４の位置を通り過ぎると、車輪検知センサ３４の検知信号はＯＦＦとなる（又は、非検知信号がＯＮとなる。以下同様。）。
（３０）続いて、図５の（Ｂ）に示されるように、車両１２のもう一方の前輪３８２が車輪検知センサ３４の透過光Ｌを遮断し、車輪検知センサ３４の検知信号が再びＯＮとなる。そして、前輪３８２が車輪検知センサ３４の位置を通り過ぎると、車輪検知センサ３４の検知信号はＯＦＦとなる。
（４０）ここで、判定基準〔Ｉ−α〕を満たさない場合には、判別手段３０は、車両１２が入庫に不適切と判定する。一方、判定基準〔Ｉ−α〕を満たす場合には、車輪判別作業を続行する。
【００２４】
（５０）図６の（Ｃ）に示されるように、車両１２の一方の後輪３８３が車輪検知センサ３４の透過光Ｌを遮断し、車輪検知センサ３４の検知信号がＯＮとなる。そして、後輪３８３が車輪検知センサ３４の位置を通り過ぎると、車輪検知センサ３４の検知信号はＯＦＦとなる。
（６０）ここで、判定基準〔II−γ〕を満たさない場合には、判別手段３０は、車両１２が入庫に不適切と判定する。一方、判定基準〔II−γ〕を満たす場合には、車輪判別作業を続行する。
（７０）図６の（Ｄ）に示されるように、車両１２のもう一方の後輪３８４が車輪検知センサ３４の透過光Ｌを遮断し、車輪検知センサ３４の検知信号がＯＮとなる。そして、後輪３８４が車輪検知センサ３４の位置を通り過ぎると、車輪検知センサ３４の検知信号はＯＦＦとなる。
（８０）ここで、判定基準〔Ｉ−β〕を満たさない場合には、判別手段３０は、車両１２が入庫に不適切と判定する。一方判定基準〔Ｉ−β〕を満たす場合には、続くステップ（９０）へと移行する。
（９０）ここで、判定基準〔III〕を満たさない場合には、判別手段３０は、車両１２が入庫に不適切と判定する。
（１００）ステップ（９０）において、判定基準〔III〕を満たす場合には、判別手段３０は、車両１２の車輪配置が入庫に適切な配置であり、車輪配置ＯＫと判定する。
【００２５】
上記手順において、判別手段３０は、車輪検知センサ３４の検知信号がＯＮ、ＯＦＦ、ＯＮ、ＯＦＦの順序で検知された場合（ステップ（２０）及び（３０）、ステップ（５０）及び（７０））であって、先のＯＮ信号の検知開始時間と、後のＯＮ信号の検知開始時間との時間差を、先のＯＮ信号の検知時間長で除した値が基準値（１．０）未満であるとき、先のＯＮ信号及び後のＯＮ信号が、何れも同一車軸上の車輪に係る検知信号であると判断している（ステップ（４０）及び（８０））。
【００２６】
又、判別手段３０において、最終的に車輪配置ＯＫ（ステップ（１００））と判定されるのは、（ア）車輪検知センサ３４のＯＮ、ＯＦＦ、ＯＮ、ＯＦＦの順序の検知信号が、２セット検知され（１セット目はステップ（２０）及び（３０）、２セット目はステップ（５０）及び（７０）である。）、（イ）なおかつ、各セットにおいて、先のＯＮ信号の検知開始時間と、後のＯＮ信号の検知開始時間との時間差を、先のＯＮ信号の検知時間長で除した値が、基準値（１．０）未満であり（ステップ（４０）及び（８０））、（ウ）更に、１セット目の検知で得られる、車輪検知センサ３４を先に通過する車輪３８１の検知時間長と、２セット目の検知で得られる、車輪検知センサ３４を先に通過する車輪３８３の検知時間長との比が、所定範囲内（０．６を超え、かつ、３．０未満）にあるとき（ステップ（６０））に限られる。
【００２７】
上記構成をなす、本発明の実施の形態により得られる作用効果は、以下の通りである。
まず、本発明の実施の形態によれば、地表面ＧＬ近傍に、透過光Ｌが車幅方向へと照射されるようにして、透過型光電センサからなる車輪検知センサ３４が配置されることで、車輪３８全体のうち、車輪３８が実際に接地する範囲に近い部分３８１ａ、３８２ａ、３８３ａ、３８４ａのみを、確実に検知することができる。
そして、判別手段３０では、車輪検知センサ３４により得られる車輪検知信号のうち、車輪検知センサ３４を先に通過する車輪３８１（又は３８３）の検知開始時間とその直後に通過する車輪３８２（又は３８４）の検知開始時間との時間差を、先に通過する車輪３８１（又は３８３）の検知時間長で除した値が基準値（１．０）未満であるとき、車輪検知センサ３４を先に通過する車輪３８１（又は３８３）とその直後に通過する車輪３８２（又は３８４）とが同一車軸上にあると判断する。これにより、検知エリア１０に対し車両１２が斜めに通過するような場合であっても、同一車軸上の左右の車輪の位置を、正確に把握することができる。
【００２８】
又、本発明の実施の形態によれば、判別手段３０において、１セット目の検知で得られる、車輪検知センサ３４を先に通過する車輪３８１の検知時間長、すなわち、前輪の左右一方の車輪３８１の大きさを基準として、２セット目の検知で得られる、車輪検知センサを先に通過する車輪３８３の検知時間長、すなわち、後輪３８３の大きさを量ることで、検知エリア１０に対し車両１２が斜めに通過する場合であっても、前後輪の大きさの違いを正確に把握することができる。
【００２９】
又、判別手段３０には、前後輪の大きさが同一であると判断される場合を除き、入庫に不適切な車輪配置であると判断する制御ロジックが含まれる（ステップ（６０））ことから、検知エリア１０に対し車両１２が斜めに通過する場合であっても、判別手段３０において、機械式駐車装置への駐車が不可能な、前後輪の大きさが異なる車両を把握して、機械式駐車装置への誤進入を確実に防ぐことが可能となる。
【００３０】
又、判別手段３０には、２セットの車輪検知信号の何れからも、車輪検知センサ３４を先に通過する車輪３８１（又は３８３）とその直後に通過する車輪３８２（又は３８４）とが同一車軸上にあると判断される場合を除き、入庫に不適切な車輪配置であると判断する制御ロジックが含まれる（ステップ（９０））。
すなわち、検知エリア１０に対し車両１２が斜めに通過する場合において、車輪検知センサ３４を先に通過する車輪３８１（又は３８３）とその直後に通過する車輪３８２（又は３８４）とが同一車軸上にあると判断されない場合は、前後車軸の、左右の車輪の位置を正確に把握することができないことから、入庫に不適切な車輪配置であると判断し、車体の各部寸法の把握が不確実となる車両の、機械式駐車装置への誤進入を確実に防ぐものである。
【００３１】
なお、本発明の実施の形態では、車輪判別に際し、検知時間の相対値を問題としていることから、車両１２の通過速度はさほど問題とならないが、検知エリア１０内の車両１２の通過速度としては、３ｋｍ／ｈ程度を想定している。
【図面の簡単な説明】
【００３２】
【図１】本発明の実施の形態に係る車両の車輪判別装置が設けられた、機械式駐車装置の車種検知エリアの平面図である。
【図２】図１の車種検知エリアの側面図である。
【図３】本発明の実施の形態に係る車体底部の突起物の検知検知装置の、最低地上高検知装置を示す図であり、（ａ）は正面図、（ｂ）は（ａ）のＢ−Ｂ断面図、（ｃ）は（ａ）のＡ−Ａ断面図である。
【図４】本発明の実施の形態に係る、車両の車輪判別手順を示すフローチャートである。
【図５】車種検知エリアに対し車両が斜めに通過する場合の、車輪検知センサと車両との相対的な位置関係が変化する様子を、平面視したものであり、（Ａ）は図４のステップ（２０）に係るものであり、（Ｂ）は図４のステップ（３０）に係るものである。
【図６】図５に続き、車種検知エリアに対し車両が斜めに通過する場合の、車輪検知センサと車両との相対的な位置関係が変化する様子を、平面視したものであり、（Ｃ）は図４のステップ（５０）に係るものであり、（Ｄ）は図４のステップ（７０）に係るものである。
【符号の説明】
【００３３】
１０：車種検知エリア、１２：車両、１４：最低地上高検知装置、１８：車両後端部検知装置、２４：車両前端検知装置、３０：判別手段、３２：車両の車輪判別装置、３４：車輪検知センサ、３６：突起物検知センサ、  ３８、３８１、３８２、３８３、３８４：車輪
【図１】
2008008099.tif 000003
【図２】
2008008099.tif 000004
【図３】
2008008099.tif 000005
【図４】
2008008099.tif 000006
【図５】
2008008099.tif 000007
【図６】
2008008099.tif 000008